(57)【要約】【課題】  汗を出して余分な脂肪や水分を取除き、健康と美容に供すことが出来るサウナ装置であって、熱すぎることなく長時間にわたって入ることが出来、しかもリラックスすることが可能なサウナ装置の提供。【解決手段】床の一部には横たわることが出来ように丸みのある細かい石８，８・・を敷き詰めた石床９を設け、該石床９の底面１１からはマイナスイオンが放射する。そして床の底には暖房装置を備えて上記石床９の石８，８・・を加熱する。又、側壁２は内表面からはマイナスイオンを放射すると共に断熱材となるグラスウール５を充填して構成されている。【選択図】    図２
2005143875.tif 000002
【特許請求の範囲】
【請求項１】
汗を出して余分な脂肪や水分を取除き、健康と美容に供すことが出来るサウナ装置において、床の一部には横たわることが出来ように丸みのある細かい石を敷き詰めた石床を設け、該石床の底面からはマイナスイオンが放射し、そして床の底には暖房装置を備えて上記石床の石を加熱し、そして側壁には断熱材を用いて構成したことを特徴とするサウナ装置。
【請求項２】
汗を出して余分な脂肪や水分を取除き、健康と美容に供すことが出来るサウナ装置において、床の一部には横たわることが出来ように丸みのある細かい石を敷き詰めた石床を設け、又、床の底には暖房装置を備えて上記石床の石を加熱し、そして側壁の内表面からはマイナスイオンを放射すると共に断熱材を用いて構成したことを特徴とするサウナ装置。
【請求項３】
汗を出して余分な脂肪や水分を取除き、健康と美容に供すことが出来るサウナ装置において、床の一部には横たわることが出来ように丸みのある細かい石を敷き詰めた石床を設け、該石床の底面からはマイナスイオンが放射し、そして床の底には暖房装置を備えて上記石床の石を加熱し、そして側壁の内表面からはマイナスイオンを放射すると共に断熱材を用いて構成したことを特徴とするサウナ装置。
【請求項４】
上記石を敷き詰めた石床の底面にはトルマリンの細かい粒子をモルタルに混合して塗布した請求項１、又は請求項３記載のサウナ装置。
【発明の詳細な説明】
【技術分野】
【０００１】
本発明は浴室内にマイナスイオンを発生して心地よい空間を形成するサウナ装置に関するものである。
【背景技術】
【０００２】
サウナ装置の原点はカマドで山積みの石を焼いて浴室を高温に保ち、時々石に水を掛けて蒸気を発生させるように構成している。このサウナに入ることで汗を出させて余分な脂肪や水分を取除き、健康と美容の為に利用する人が多い。近年では、カマドで山積みの石を焼いてサウナの浴室を高温に保つことは少なく、一般には電気ヒータが使用されている。
【０００３】
ところで、従来のサウナ装置は図３に示しているように、腰掛部が連続して階段状に設けられ、この腰掛部に所定の時間座りながら体内の老廃物を汗と共に排出することが出来る。浴室内の温度にもよるが、所定の時間入った後はシャワーを浴びて体を一旦冷やしたり、排出することで失われた水分を補うなどして再び浴室に入る。
【０００４】
このように、従来のサウナ装置の浴室温度は９０℃〜１００℃と高くて、長時間にわたって浴室内に入っていることは出来ない。すなわち、外へ出て体を冷やすと共に水分を補給するなどが必要である。従って、９０℃以上もある高温の浴室内で我慢して入っていなくてはならないことから、リラックスすることは出来ず、まして高温浴室が嫌いな人にとっては従来のサウナを利用することは出来ない。
【発明の開示】
【発明が解決しようとする課題】
【０００５】
このように、従来のサウナには上記のごとき問題がある。本発明が解決しようとする課題はこれら問題であり、長時間にわたって浴室内に入っていることが出来ると共に、横たわってリラックスすることが出来るサウナ装置を提供する。
【課題を解決するための手段】
【０００６】
本発明に係るサウナ装置は、仕切られた空間を形成して浴室とし、床には石を敷き詰めた石床を設けている。石を敷き詰めた石床の底面からはマイナスイオンが放出される。そして床下には床暖房装置が埋設されて、床面並びに敷き詰めた石を加熱することが出来る。又、浴室の側壁面からもマイナスイオンが放出されて、浴室内はマイナスイオンで満たされた心地よい空間が形成される。そして、床下に設けた暖房装置により、室内は適度な温度に保たれる。
【０００７】
ところで、本発明のサウナでは、敷き詰められた石の上に横たわり汗をかくことが出来る。石は床下の暖房装置から発生する熱にて適度に加熱され、そしてマイナスイオンが放射されて体に浴びせられる。ここで、上記石は丸みのある形状が使用され、敷き詰められた石床は平坦と成っている。
【発明の効果】
【０００８】
本発明のサウナは、床の一部に石が敷き詰められ、この敷き詰めた石面に横たわることが出来る。すなわち、従来のように座っているのではなく、寝ることが出来る為に、床について寝るような感覚でサウナを楽しむことが出来る。そして、石面に横たわる為に、体のツボに石が当たって指圧効果を得ることも出来る。
【０００９】
又、サウナ浴室の床に敷き詰めた石は暖房装置にて加熱されるために、汗をかくことが出来、汗と共に体内の老廃物が排出される。さらに、壁面及び敷き詰めた石床からは、マイナスイオンが放出される為に、寝ていても気持ちがリラックスし、長時間にわたって横たわっていることが可能と成る。すなわち、熱さを我慢してサウナに入ることはなく、勿論、途中で外に出て体を冷やすと共に水を補給する必要もない。
【実施例】
【００１０】
図１は本発明に係るサウナ装置の浴室内部を示している具体例である。該浴室の床面には石が敷き詰められた石床が設けられ、該石床に横たわってリラックスすることが出来る。同図には該石床に大きなバスタオルを敷いて仰向けに寝ることが出来る。そして、浴室は側壁面にて仕切られて、敷き詰められた石はある程度の温度に加熱される。従って、該石床面に横たわることで、汗をかき、汗と共に老廃物が排出される。又、浴室内の床面にはプラネタリウムが配置され、宇宙空間に寝ている開放感が得られ、必要に応じて安らぎを増す音楽を流すことも可能である。勿論、上記プラネタリウムを天井に取付けることは自由である。
【００１１】
図２は本発明のサウナ浴室の断面を示す実施例である。同図の１は床、２は側壁を表し、側壁２は内板３と外板４の間にグラスウール５を充填して構成され、内板３の表面にはマイナスイオンを放射するクロスが貼着されている。上記内板３としてはケイカル板が使用され、外板は一般的な建築ボードが用いられる。勿論、内板３及び外板の材質や構成を限定するものではない。
【００１２】
側壁２は垂直に起立する金属製の縦桟及び横桟が枠組され、この枠組体に上記内板３及び外板４が取着され、内板３と外板４との間に形成される空間には断熱材として機能するグラスウール５が充填されている。内板３の表面に貼着されるクロスにはトルマリンが塗布されて、マイナスイオンを放射することが出来る。
【００１３】
床１はコンクリート層６にてベースが構成され、床面は床板７が貼り合わされた領域と細かい石８，８・・を敷き詰めた石床９とで形成されている。石床９は床板７とほぼ同じ高さと成っている為に、段差は殆ど生じない。コンクリート床の一部に長方形の凹部を設けて石８，８・・が敷き詰められ、該凹部の内側には長方形枠１０が嵌められている。該長方形枠１０を形成する各桟は熱の影響で反ることがないように積層構造と成っている。
【００１４】
そして、凹部に敷き詰められる石８，８・・は丸みのある形状とし、該凹部底面１１にはトルマリンの細かい粒子をモルタルに混入して塗布されていて、石床９からもマイナスイオンが放射される。コンクリート層６にはパイプ１２，１２・・が埋設され、該パイプ１２，１２・・には熱湯を流すことが出来、該熱湯の熱はパイプ１２，１２・・からコンクリート層６に伝わり、上記石床９の石８，８・・を温めることが出来る。勿論、暖房装置として具体的な方法は上記パイプ１２に熱湯を流す場合に限定はせず、電気ヒータを使用することも可能である。
【００１５】
ところで、前記図１に示しているように、石８，８・・が敷き詰められている石床９にタオルケットを敷いて横たわることが出来る。横たわった場合に背中は個々の石８，８・・に当接して適度に指圧される。そして、底面１１から放射されるマイナスイオンが体に浴びせられ、リラックスすることが出来る。パイプ１２，１２・・を流れる熱湯にて石床９の各石８，８・・は加熱され、一般的には３５℃〜４５℃の温度になる。
【００１６】
該温度の高さは我慢できないものではなく、しかし適度に汗をかいてマイナスイオンの影響を受けて心地よく眠ることも出来る。勿論、途中で外に出て体を冷やしたり水を補給する必要もない。
【図面の簡単な説明】
【００１７】
【図１】本発明に係るサウナ装置の浴室外観。
【図２】本発明のサウナ装置の床と側壁構造。
【図３】従来のサウナ浴室。
【符号の説明】
【００１８】
１  床
２  側壁
３  内板
４  外板
５  グラスウール
６  コンクリート層
７  床板
８  石
９  石床
10  長方形枠
11  底面
12  パイプ
【図１】
2005143875.tif 000003
【図２】
2005143875.tif 000004
【図３】
2005143875.tif 000005